(57)【特許請求の範囲】
【請求項１】
相手方コネクタのハウジングに嵌合可能な本体ハウジングと、この本体ハウジングに回動操作可能に取付けられ、前記相手方コネクタと係合する係合部をもつレバーとを備え、当該係合部が前記相手方コネクタに係合された状態で当該レバーが回動操作されることにより、その回動操作力よりも大きな嵌合力で前記相手方コネクタのハウジングと本体ハウジングとが嵌合されるように前記係合部が構成されたコネクタにおいて、前記本体ハウジングとレバーのいずれか一方に、円以外の断面形状をもつ回動支持部が設けられ、他方に、前記本体ハウジングに対するレバーの角度が所定角度にある状態でのみ前記回動支持部が侵入可能な侵入用溝と、この侵入用溝の奥側に位置し、前記回動支持部全体が回転可能に嵌入される嵌入穴とが設けられ、この嵌入穴に前記回動支持部が嵌入された状態で前記レバーが前記本体ハウジングに回動可能に支持され、かつ、当該レバーの回動操作領域では前記回動支持部が前記嵌入穴から侵入用溝へ逆行できないように当該レバーの回動操作領域が設定されるとともに、前記本体ハウジングに前記レバーをその回動方向に案内する案内部が設けられ、前記案内部は前記レバーの回動軸としての前記嵌入穴内の回動支持部を中心とする円弧状の案内面を有し、この案内面上を摺動する被案内部が前記レバーに設けられているとともに、前記本体ハウジングは、前記侵入用溝への前記回動支持部の侵入方向と平行な方向に前記被案内部が挿入可能な挿入部が設けられ、この挿入部の内側面の少なくとも一部が前記案内面を構成し、前記回動支持部を侵入用溝へ侵入させるのと同時に前記被案内部を挿入部に挿入することが可能に構成されていることを特徴とするコネクタ。
【請求項２】
請求項１記載のコネクタにおいて、前記本体ハウジングは、コネクタ端子を保持する端子保持部と、この端子保持部を包囲するフード部とを有し、これら端子保持部とフード部との間に前記挿入部が形成されていることを特徴とするコネクタ。
【請求項３】
請求項１または２記載のコネクタにおいて、前記被案内部は前記案内面と合致する円弧状の被案内面をもつことを特徴とするコネクタ。
【請求項４】
請求項１〜３のいずれかに記載のコネクタにおいて、前記回動支持部は縦長の形状を有し、前記侵入用溝は前記回動支持部の横寸以上で縦寸未満の幅を有し、前記嵌入穴は前記縦寸と略同等の直径を有し、前記レバーの回動操作領域では前記縦寸の方向と前記侵入用溝の方向とが一致しないように当該レバーの回動操作領域が設定されていることを特徴とするコネクタ。
【請求項５】
請求項１〜４のいずれかに記載のコネクタと、このコネクタの本体ハウジングに嵌合可能なハウジング及び前記レバーの係合部と係合可能な係合部をもつ相手方コネクタとを備え、両係合部が係合された状態で当該レバーが回動操作されることにより、その回動操作力よりも大きな嵌合力で前記相手方コネクタのハウジングと前記本体ハウジングとが嵌合されるように前記係合部が構成されていることを特徴とするコネクタ構造。
【発明の詳細な説明】
【０００１】
【発明の属する技術分野】
本発明は、レバー操作によって相手方コネクタと嵌合されるコネクタ及び当該コネクタを含むコネクタ構造に関するものである。
【０００２】
【従来の技術】
近年、コネクタの多極化等に鑑み、その嵌合に必要な操作力の低減を図るべく、本体ハウジングに回動操作可能なレバーを取付け、このレバーによる梃子（てこ）の作用を利用して低い操作力で相手方コネクタとの嵌合を可能にしたものが種々提供されている。
【０００３】
従来、かかるレバーを本体ハウジングに取付けるための構造として、例えば特許２９１４５９３号公報には、本体ハウジングの左右両側面に円形断面の支持ピンを突設する一方、コ字状レバーの左右両端に前記支持ピンが嵌入可能な円形の軸孔を設け、このレバーの軸孔に前記支持ピンを嵌め込むことにより、当該支持ピン回りにレバーが回動可能に軸支されるようにしたものが開示されている。
【０００４】
しかし、この構造では、レバー取付の際、その左右両端部を外側に撓ませるようにして押し広げながら当該両端部の軸孔を本体ハウジングの支持ピンに対して外側から嵌めるという作業が必要であり、組立は容易でない。また逆に、取付後は、前記レバーの左右両端部が何らかの力によって広げられることによりレバーが本体ハウジングから簡単に外れてしまうおそれもある。
【０００５】
そこで、特開平１１−４０２５０号公報には、前記本体ハウジングに対するレバーの取付を容易にすべく、本体ハウジング側に縦長の支持ピンを突設する一方、レバー側に前記支持ピンがその縦方向にのみ侵入可能な導入溝及びこの導入溝の奥で支持ピン全体が回転可能に嵌入される穴を設けたコネクタが開示されている。このコネクタによれば、前記導入溝を通じて支持ピンを穴内に侵入させることにより、レバーを本体ハウジングに対して簡単に取付けることができ、しかも、その取付後は、前記支持ピンの縦方向と前記導入溝の方向とが合致しないような角度領域に前記レバーの回動操作領域を設定することにより、前記導入溝から前記支持ピンが逸脱する（すなわち本体ハウジングからレバーが外れる）のを確実に防止することができる。
【０００６】
【発明が解決しようとする課題】
前記特開平１１−４０２５０号公報の構造によれば、本体ハウジングへのレバーの取付が容易となる反面、支持ピンが縦長であって当該支持ピンと円形穴の内側面とが周方向の一部でしか接触しないために、前記特許２９１４５９３号公報に示されるように円形の支持ピンと円形の軸孔とが嵌合する構造に比べてレバーの支持状態が不安定になり易いという不都合がある。すなわち、レバーの回動時にがたつき等が生じ易く、これによって円滑なレバー操作が妨げられるおそれがある。
【０００７】
本発明は、このような事情に鑑み、レバー操作によってコネクタ同士の嵌合を行うものにおいて、本体ハウジングへのレバーの取付を容易にし、かつ、その後の安定したレバー操作を可能にすることを目的とする。
【０００８】
【課題を解決するための手段】
前記課題を解決するための手段として、本発明は、相手方コネクタのハウジングに嵌合可能な本体ハウジングと、この本体ハウジングに回動操作可能に取付けられ、前記相手方コネクタと係合する係合部をもつレバーとを備え、当該係合部が前記相手方コネクタに係合された状態で当該レバーが回動操作されることにより、その回動操作力よりも大きな嵌合力で前記相手方コネクタのハウジングと本体ハウジングとが嵌合されるように前記係合部が構成されたコネクタにおいて、前記本体ハウジングとレバーのいずれか一方に、円以外の断面形状をもつ回動支持部が設けられ、他方に、前記本体ハウジングに対するレバーの角度が所定角度にある状態でのみ前記回動支持部が侵入可能な侵入用溝と、この侵入用溝の奥側に位置し、前記回動支持部全体が回転可能に嵌入される嵌入穴とが設けられ、この嵌入穴に前記回動支持部が嵌入された状態で前記レバーが前記本体ハウジングに回動可能に支持され、かつ、当該レバーの回動操作領域では前記回動支持部が前記嵌入穴から侵入用溝へ逆行できないように当該レバーの回動操作領域が設定されるとともに、前記本体ハウジングに前記レバーをその回動方向に案内する案内部が設けられ、前記案内部は前記レバーの回動軸としての前記嵌入穴内の回動支持部を中心とする円弧状の案内面を有し、この案内面上を摺動する被案内部が前記レバーに設けられているとともに、前記本体ハウジングは、前記侵入用溝への前記回動支持部の侵入方向と平行な方向に前記被案内部が挿入可能な挿入部が設けられ、この挿入部の内側面の少なくとも一部が前記案内面を構成し、前記回動支持部を侵入用溝へ侵入させるのと同時に前記被案内部を挿入部に挿入することが可能に構成されているものである。
【０００９】
この構成によれば、前記本体ハウジングに対するレバーの相対角度を所定角度に保った状態でそのいずれか一方の回動支持部を他方の侵入用溝内に侵入させ、その奥端の嵌入穴内まで至らせた後、当該回動支持部回りにレバーを適当に回転させることにより、当該レバーを本体ハウジングに簡単に取付けることができる。
【００１０】
ここで、前記回動支持部は円以外の形状であるため、当該回動支持部と嵌入穴内周面との接触部位は周方向の一部のみとなるが、本体ハウジング側に設けられた案内部によってレバーがその回動方向に案内されるため、当該レバーの安定した回動が実現される。
【００１１】
前記構成では、具体的に、前記案内部として、前記レバーの回動軸を中心とする円弧状の案内面を有し、この案内面上を摺動する被案内部が前記レバーに設けられているので、前記案内面上の被案内部の摺動によってレバーがその回動方向に確実に案内される。
【００１２】
さらに、前記構成における本体ハウジングは、前記侵入用溝への前記回動支持部の侵入方向と平行な方向に前記被案内部が挿入可能な挿入部が設けられ、この挿入部の内側面の少なくとも一部が前記案内面を構成しているため、前記挿入部内にレバーの被案内部が保持されることにより、レバーの取付状態がより安定するとともに、被案内部及び案内面が挿入部内に収納されることによってコネクタ外部から保護される。しかも、この構造では、前記挿入部に対して所定方向にレバーの被案内部を挿入するだけの操作で、本体ハウジングに対するレバーの取付ができる。
【００１３】
前記挿入部の具体的な配設部位は問わないが、前記本体ハウジングが、コネクタ端子を保持する端子保持部と、この端子保持部を包囲するフード部とを有する場合、これら端子保持部とフード部との間に前記挿入部を形成すれば、本体ハウジングを大型化することなく、端子保持部とフード部との間の空間を有効に利用して挿入部を形成することができる。
【００１４】
前記被案内部が前記案内面と合致する円弧状の被案内面をもつ構成にすれば、案内面と被案内部との接触面積を増やしてレバーの回動をより安定させることができる。
【００１５】
前記回動支持部や侵入用溝及び嵌入穴の具体的な形状は特に問わないが、例えば、前記回動支持部は縦長の形状を有し、前記侵入用溝は前記回動支持部の横寸以上で縦寸未満の幅を有し、前記嵌入穴は前記縦寸と略同等の直径を有し、前記レバーの回動操作領域では前記縦寸の方向と前記侵入用溝の方向とが一致しないように当該レバーの回動操作領域が設定されているものが、好適である。
【００１６】
また、前記レバーの構成としては、例えば、回動操作を受ける操作部と、この操作部と連続し、前記本体ハウジングに回動可能に取付けられる左右一対の取付部とを有し、これら取付部と前記本体ハウジングのいずれか一方に前記回動支持部が設けられ、他方に前記侵入用溝及び嵌入穴が設けられているものが好適である。
【００１７】
また本発明は、以上示したコネクタと、このコネクタの本体ハウジングに嵌合可能なハウジング及び前記レバーの係合部と係合可能な係合部をもつ相手方コネクタとを備え、両係合部が係合された状態で当該レバーが回動操作されることにより、その回動操作力よりも大きな嵌合力で前記相手方コネクタのハウジングと前記本体ハウジングとが嵌合されるように前記係合部が構成されているコネクタ構造である。
【００１８】
【発明の実施の形態】
本発明の第１の実施の形態を図１〜図８に基づいて説明する。
【００１９】
図１に示すコネクタ構造は、第１のコネクタ（相手方コネクタ）Ｃ１と、第２のコネクタ（本発明にかかるコネクタ）Ｃ２とを備え、両コネクタＣ１，Ｃ２が互いに嵌合可能に構成されている。
【００２０】
第１のコネクタＣ１は、樹脂製のハウジング１０を備え、このハウジング１０には多数本の金属製端子１２が図の上向きに突出する状態で保持されている。さらに、ハウジング１０には、前記端子１２を外側から覆うフード部１４が一体に形成され、このフード部１４の左右両外側面にカム突起１６が外向きに突設されている。
【００２１】
第２のコネクタＣ２は、樹脂製の本体ハウジング２０と、これに取付けられる操作用のレバー３０とを備えている。
【００２２】
本体ハウジング２０は、図２に示すように、多数の金属製端子２２（図２（ｃ））を保持する端子保持部２１と、これを包囲するフード部２４とを一体に有し、これら端子保持部２１とフード部２４とはハウジング上部で相互につながっている。そして、前記各端子２２が相手方の第１のコネクタＣ１における各端子１２と嵌合可能に構成されるとともに、端子保持部２１が前記フード部１４の内側に嵌入可能（換言すれば端子保持部２２とフード部２４との間に第１のコネクタＣ１のフード部１４が嵌入可能）となっている。
【００２３】
なお、前記端子保持部２１の外側面には、相手方のフード部１４の内側面と接触するゴム製の防水用シール部材２５が固定されている。
【００２４】
前記フード部２４の左右両側部には、外側に膨出する膨出部２４ａが形成され、この膨出部２４ａと端子保持部２２との間に挿入溝（挿入部）２６が形成されている。この挿入溝２６の上部には、その内側の端子保持部２１と外側のフード部２４（膨出部２４ａ）とを連結する回動支持部２８が形成されている。換言すれば、この回動支持部２８を残して端子保持部２１とフード部２４とが離間し、かつ、上方に開口している部分が挿入溝２６となっている。
【００２５】
図５に示すように、前記回動支持部２８は縦長の形状を有し、縦寸Ｌが横寸Ｗよりも大きくなっている。また、その長手方向（縦寸方向）両端面２８ａは、図例では、回動支持部２８の図心を中心とする円弧状に形成されている。
【００２６】
なお、本発明にいう「縦寸」「横寸」とは、必ずしも使用状態での垂直方向及び水平方向の寸法を意味するものではなく、単に回動支持部の長手方向の寸法、これと直交する幅方向の寸法をそれぞれ意味するものである。
【００２７】
前記挿入溝２６は、上下に開口するが、そのうち上端開口が最も幅広で、下方に向かうに従って幅が減少する形状を有している。そして、その左右両内側面は、前記回動支持部２８を中心とする円弧状の案内面２６ａとされている。
【００２８】
レバー３０は、平面視略コ字状の操作部３２と、この操作部３２の両端から互いに平行な方向に延びる左右一対の取付板部３４とを一体に有している。取付板部３４は、前記操作部３２の端部からそのまま延長された基部３４ａと、円弧状の被案内部３４ｂとを一体に有し、これら基部３４ａと被案内部３４ｂの境界部分に取付板部３４を板厚方向に貫通する円形の嵌入穴３６及び侵入用溝３７が形成されている。
【００２９】
前記侵入用溝３７は、取付部３４において前記操作部３２と反対側の面から切り込まれたもので、前記回動支持部２８の横寸Ｗ以上で縦寸Ｌよりも小さい幅を有している。嵌入穴３６は、円形で、前記回動支持部２８全体がほぼ隙間なく嵌入可能な直径、すなわち、前記縦寸Ｌと略同等の直径を有している。そして、被案内部３４ｂの外側面は、前記嵌入穴３６を中心とする円弧状（図例では半円状）であって、かつ、前記挿入溝２６内の案内面２６ａと合致するような被案内面３４ｃとされている。
【００３０】
なお、前記侵入用溝３７及び嵌入穴３６は必ずしも取付部３４を貫通していなくてもよく、その内側面に有底状に凹設されたものでもよい。
【００３１】
前記被案内部３４ｂの適所には、その外周面から内側に向かって曲線状に延びるカム溝（係合部）３５が形成されている。このカム溝３５は、図６に示すようにレバー３０が本体ハウジング２０に対して所定角度だけ傾いた回動位置（以下、「回動初期位置」と称する。）にある状態で前記第１のコネクタＣ１のカム突起１６が侵入可能となるような角度位置に形成され、かつ、その侵入状態からレバー３０が第１のコネクタＣ１側（図６では下側）に回動操作されるのに伴って、その回動操作力を当該操作力よりも大きなコネクタ嵌合力（第１のコネクタＣ１と第２のコネクタＣ２とを嵌合する力）に変換するような曲線形状を有している。すなわち、前記カム溝３５とカム突起１６とは倍力機能を備えたカム機構を構成している。
【００３２】
なお、前記被案内部３４ｂの被案内面３４ｃと操作部３２との間には、前記本体ハウジング２０側の膨出部２４ａの側壁との干渉を回避するための円弧状の切欠部３８が確保されている。すなわち、図例では、操作部３２が被案内面３４ｃと対向する面３２ｃは、当該被案内面３４ｃと同心の円弧状の曲面とされている。
【００３３】
第２のコネクタＣ２には、前記レバー３０の回動操作領域を前記回動初期位置から図８に示すような回動終了位置（図８に示すように本体ハウジング２０に対してレバー３０が完全に倒伏する位置）までの角度領域に規制するための機構が設けられている。具体的には、前記操作部３２の内側面に、嵌入穴３６を中心とする円弧状の凹溝３２ａが形成される一方、本体ハウジング２０の外周面に前記凹溝３２ａ内に嵌入可能な一対の突起２７Ａ，２７Ｂが形成されている。これら突起２７Ａ，２７Ｂの位置については後述する。
【００３４】
次に、前記本体ハウジング２０に対するレバー３０の取付要領、及び、コネクタＣ１，Ｃ２同士の着脱要領を説明する。
【００３５】
１）レバー３０の取付
まず、図４（ａ）に示すように本体ハウジング２０に対してレバー３０を垂直に立てた姿勢（すなわち侵入用溝３７が下側に開口する姿勢）にし、この姿勢で侵入用溝３７内に本体ハウジング２０の回動支持部２８を侵入させるようにしながら、取付部３４全体を本体ハウジング２０の挿入溝２６内に挿入する。そして、図５実線に示すように回動支持部２８が侵入用溝３７の奥の嵌入穴３６に到達した段階ではじめて、この回動支持部２８回りにレバー３０が回動可能な状態となる。
【００３６】
次に、この状態からレバー３０を倒伏方向に強く回動させ、その凹溝３２ａの下端部に本体ハウジング２０側の突起２７Ａ，２７Ｂのうちの突起２７Ａのみが嵌まり込む状態にする（図６）。この状態でのレバー３０の回動位置が前記回動初期位置であり、この回動初期位置ではレバー３０の操作部３２の下端がもう一方の突起２７Ｂに当たることにより、レバー３０が当該回動初期位置に仮係止される。これにより、本体ハウジング２０へのレバー３０の取付が完了する。
【００３７】
この回動初期位置では、レバー３０側の侵入用溝３７の長手方向が本体ハウジング２０側の回動支持部２８の縦寸方向（図例では上下方向）に対して傾斜しているため、回動支持部２８が侵入用溝３７を逆行する（すなわち嵌入穴３６から逸脱する）ことができない。従って、回動支持部２８によるレバー３０の回動支持状態は確実に保たれる。
【００３８】
２）コネクタＣ１，Ｃ２の結合
前記回動初期位置では、カム溝３５の開口端が下を向いており、ここからカム溝３５内に第１のコネクタＣ１側のカム突起１６が侵入可能な状態となっている。そこで、当該侵入を行わせながらコネクタＣ１，Ｃ２同士を軽く仮嵌合する（図６の矢印）。
【００３９】
３）レバー操作
前記仮嵌合状態から、図７の矢印に示すようにレバー３０の操作部３２に対して倒伏方向に比較的強い操作力を与え、突起２７Ａに加えて突起２７Ｂも凹溝３２ａ内に入り込ませる。さらにレバー３０の回動操作を続け、図８に示す回動終了位置まで至らせる。このレバー３０の回動操作に伴い、カム突起１６がカム溝３５内に徐々に侵入していき（実際にはカム溝３５側が動いている）、そのカム作用で、第１のコネクタＣ１側のハウジング１０及び端子１２と第２のコネクタＣ２側の本体ハウジング２０及び端子２２との嵌合が進められる。そして、前記回動終了位置に達した時点で、図８のように両コネクタＣ１，Ｃ２同士の嵌合も完了する。
【００４０】
このレバー操作の際、前記回動支持部２８と嵌入穴３６の内周面との接触部位は当該回動支持部２８の長手方向両端面２８ａのみであり（図５）、従って、この部位での支持のみではレバー３０の回動操作が不安定となり易いが、図示の第２のコネクタＣ２では、レバー３０の円弧状の被案内面３４ａが本体ハウジング２０側の円弧状の案内面２６ａ上を摺動するようにしてレバー３０がその回動方向に案内されるため、安定した回動操作を行うことができる。
【００４１】
しかも、前記回動初期位置から回動終了位置までの回動操作領域では、回動支持部２８の縦寸方向と侵入用溝３７の長手方向とが常にずれているため、回動支持部２８が嵌入穴３６から侵入用溝３７へ逸脱するおそれはない。
【００４２】
かかる結合作業後、コネクタＣ１，Ｃ２同士を切り離したい場合には、前記レバー３０を前記と逆の方向に操作すればよい。このときも、レバー３０はその被案内面３４ｃが挿入溝２６内の案内面２６ａに案内されるため、円滑な回動操作が保障される。
【００４３】
なお、この第１の実施の形態では、本体ハウジング２０側に回動支持部２８を、レバー３０側に侵入用溝３７及び嵌入穴３６をそれぞれ設けているが、逆に、第２の実施の形態として図９〜図１１に示すように、レバー３０側の突出部３４の例えば内側面に回動支持部３９を突設し、この回動支持部３９が侵入可能な侵入用溝２９及びその奥端の嵌入穴２３を本体ハウジング２０側（図では挿入溝２６の内側面すなわち端子保持部２２の外側面）に形成するようにしても、前記と同様の効果が得られる。
【００４４】
その他、本発明は例えば次のような実施の形態をとることも可能である。
【００４５】
・本発明では、第１のコネクタＣ１とレバー３０との具体的な係合構造を問わず、その係合状態でレバー３０が回動操作されることによりコネクタＣ１，Ｃ２同士の嵌合力が創出されるものであればよい。例えば、前記カム突起１６をレバー３０側に、カム溝３５を第１のコネクタＣ１側に設けるようにしてもよい。
【００４６】
・前記実施形態では、レバー３０が直接回動操作されるものを示したが、例えば本体ハウジング２０に同ハウジング２０に対してスライド操作されるスライダを設け、このスライドするスライダによってレバーが間接的に回動操作されるようなものであってもよい。
【００４７】
・前記実施形態では、被案内部３４ｂに案内面２６ａと合致する円弧状の被案内面３４ｃを形成しているが、これに代え、前記案内面２６ａ上を摺動する突起などを被案内部として設けるようにしてもよい。また逆に、案内部として、本体ハウジング２０側に前記円弧状の被案内面３４ｃと摺動する支持用突起を設けるようにしてもよい。ただし、前記実施形態のように互いに合致する円弧状の案内面２６ａ及び被案内面３４ｃを本体ハウジング２０及びレバー３０にそれぞれ設けることにより、案内部と被案内部との接触面積を大きくしてレバー操作をより安定させることが可能になる。
【００４８】
・前記実施形態では、レバー３０の被案内部３４ｂの外周面が被案内面３４ｃとされているが、逆に内周面側に被案内面を形成するようにしてもよい。例えば図３（ａ）に示す操作部３２の円弧状周面３２ｃを被案内面とし、この被案内面が図２（ｂ）等に示す膨出部２４ａの外周面と摺接することによりレバー３０の案内が行われるようにしてもよい。
【００４９】
・前記図１や図９の例において、挿入溝２６及び膨出部２４ａを省略して単純に本体ハウジング２０の側面に回動支持部２８を突設したり侵入用溝２９及び嵌入孔２３を設けたりするようにしてもよい。ただし、前記挿入溝２６等の挿入部内に被案内部が挿入される構成とすることにより、レバー３０の取付状態をその幅方向についても安定させることが可能になり、また、その挿入部内に回動支持部を収めることにより当該回動支持部を保護できる利点も生じる。
【００５０】
・回動支持部の形状は図示のものに限定されず、その方向によって寸法が適当に異なるものであればよい。例えば楕円状、小判状、矩形状に設定することも可能である。
【００５１】
【発明の効果】
以上のように本発明は、レバー式のコネクタにおいて、本体ハウジングとレバーのいずれか一方に円以外の断面形状をもつ回動支持部を、他方に当該回動支持部の侵入用溝及び嵌入穴を設けるとともに、本体ハウジングに前記レバーをその回動方向に案内する案内部を設けたものであるので、前記回動支持部と侵入用溝及び嵌入穴との組み合わせによって本体ハウジングへのレバーの取付を容易にしながら、前記本体ハウジングに設けた案内部によって安定したレバー操作を実現できる効果がある。
【００５２】
具体的には、前記案内部として、前記レバーの回動軸を中心とする円弧状の案内面を有し、この案内面上を摺動する被案内部が前記レバーに設けられているので、前記案内面上の被案内部の摺動によってレバーがその回動方向に確実に案内される。
【００５３】
さらに、前記本体ハウジングは、前記侵入用溝への前記回動支持部の侵入方向と平行な方向に前記被案内部が挿入可能な挿入部が設けられ、この挿入部の内側面の少なくとも一部が前記案内面を構成しているため、前記挿入部内にレバーの被案内部が保持されることにより、レバーの取付状態がより安定するとともに、被案内部及び案内面が挿入部内に収納されることによってコネクタ外部から保護される。しかも、この構造では、前記挿入部に対して所定方向にレバーの被案内部を挿入するだけの操作で、本体ハウジングに対するレバーの取付ができる。
【図面の簡単な説明】
【図１】  本発明の第１の実施の形態にかかるコネクタ構造の分解斜視図である。
【図２】  （ａ）は前記コネクタ構造における第２のコネクタの本体ハウジングの平面図、（ｂ）は（ａ）のＡ−Ａ線断面図、（ｃ）は（ｂ）のＢ−Ｂ線断面図である。
【図３】  （ａ）は前記第２のコネクタのレバーの断面正面図、（ｂ）はその底面図である。
【図４】  前記第２のコネクタにおける本体ハウジングへのレバーの取付要領を示す正面図である。
【図５】  前記第２のコネクタにおける回動支持部と侵入用溝及び嵌入穴との関係を示す正面図である。
【図６】  前記第２のコネクタと第１のコネクタとを嵌合する前の状態を示す正面図である。
【図７】  前記第２のコネクタと第１のコネクタとの嵌合途中の状態を示す正面図である。
【図８】  前記第２のコネクタと第１のコネクタとの嵌合が終了した状態を示す正面図である。
【図９】  本発明の第２の実施の形態にかかるコネクタ構造の分解斜視図である。
【図１０】  図１０に示す第２のコネクタにおける本体ハウジングへのレバーの取付要領を示す正面図である。
【図１１】  図１０に示す第２のコネクタにおける回動支持部と侵入用溝及び嵌入穴との関係を示す正面図である。
【符号の説明】
Ｃ１  第１のコネクタ（相手方コネクタ）
Ｃ２  第２のコネクタ（本発明にかかるコネクタ）
１０  相手方コネクタのハウジング
１６  カム突起（係合部）
２０  本体ハウジング
２１  端子保持部
２３  嵌入穴
２４  フード部
２６  挿入溝（挿入部）
２８  回動支持部
２９  侵入用溝
３０  レバー
３２  操作部
３４  取付部
３４ｂ  被案内部
３４ｃ  被案内面
３５  カム溝（係合部）
３６  嵌入穴
３７  侵入用溝
３９  回動支持部
【図１】
0003777083.tif 000002
【図２】
0003777083.tif 000003
【図３】
0003777083.tif 000004
【図４】
0003777083.tif 000005
【図５】
0003777083.tif 000006
【図６】
0003777083.tif 000007
【図７】
0003777083.tif 000008
【図８】
0003777083.tif 000009
【図９】
0003777083.tif 000010
【図１０】
0003777083.tif 000011
【図１１】
0003777083.tif 000012